(57)【特許請求の範囲】
【請求項１】
記事テキストデータの入力および校正作業を行なう記事入力／校正端末からの記事テキストデータを蓄積する記事サーバと、
カラー画像を含む画像データを入力する一方、その入力したカラー画像をモノクロ化画像に調整する画像入力／加工端末と、
この画像入力／加工端末からの上記カラー画像とモノクロ化画像を含む画像データを蓄積する画像サーバと、
上記記事サーバおよび上記画像サーバにそれぞれ蓄積されている記事テキストデータおよび画像データのレイアウト処理を行なう組版端末と、
この組版端末のレイアウト処理により作成された紙面を構成する紙面データを紙面データファイルに蓄積する組版・編集サーバと、
を備えた新聞制作システムにおいて、
上記組版・編集サーバに、
上記組版端末からの紙面取置要求を受けてその紙面を取り置く場合に、その取置対象紙面にカラー画像が掲載されているときは、このカラー画像に対応しかつ他の紙面に掲載されている上記モノクロ化画像もこのカラー画像と共に取り置くための取置紙面データに構成する紙面取置処理手段および上記取置対象紙面に、上記モノクロ化画像が掲載されているときは、このモノクロ化画像に対応しかつ他の紙面に掲載されているカラー画像もこのモノクロ化画像と共に取り置くための取置紙面データに構成する紙面取置処理手段のいずれか一方あるいは両方を、設けていることを特徴とする新聞制作システム。
【請求項２】
上記組版・編集サーバは、上記紙面取置処理手段により構成された取置紙面データを保存する取置紙面データファイルを、
備えていることを特徴とする新聞制作システム。
【請求項３】
上記画像データを蓄積する画像データファイルを、上記画像サーバおよび組版・編集サーバの少なくとも一方に設けていることを特徴とする請求項１記載の新聞制作システム。
【請求項４】
記事テキストデータの入力および校正作業を行なう記事入力／校正端末からの記事テキストデータを蓄積する記事サーバと、
カラー画像を含む画像データを入力する一方、その入力したカラー画像をモノクロ化画像に調整する画像入力／加工端末と、
この画像入力／加工端末からの上記カラー画像とモノクロ化画像を含む画像データを蓄積する画像サーバと、
上記記事サーバおよび上記画像サーバにそれぞれ蓄積されている記事テキストデータおよび画像データのレイアウト処理を行なう組版端末と、
この組版端末のレイアウト処理により作成された紙面を構成する紙面データを紙面データファイルに蓄積する組版・編集サーバと、
を備えた新聞制作システムにおいて、
上記組版・編集サーバに、
上記組版端末からの紙面データ削除要求を受けた場合に、その削除対象が上記モノクロ化画像を掲載している紙面であるときに、このモノクロ化画像に対応するカラー画像が他の紙面に掲載されていない場合に限ってこのモノクロ化画像を削除する画像削除処理手段を、
設けたことを特徴とする新聞制作システム。
【請求項５】
上記画像データを蓄積する画像データファイルを、上記画像サーバおよび組版・編集サーバの少なくとも一方に設けていることを特徴とする請求項４記載の新聞制作システム。
【請求項６】
記事テキストデータの入力および校正作業を行なう記事入力／校正ステップと、
この入力および校正作業が行なわれた記事テキストデータを蓄積するステップと、
カラー画像を含む画像データを入力する一方、その入力したカラー画像をモノクロ化画像に調整する画像入力／加工ステップと、
この画像入力／加工された上記カラー画像とモノクロ化画像を含む画像データを蓄積するステップと、
上記記事テキストデータおよび画像データの各蓄積ステップでそれぞれ蓄積されている記事テキストデータおよび画像データのレイアウト処理を行なうレイアウト処理ステップと、
このレイアウト処理により作成された紙面を構成する紙面データを蓄積する組版・編集ステップと、
を備えた新聞制作方法において、
上記組版・編集ステップにて紙面取置要求を受けてその紙面を取り置く場合に、その取置対象紙面にカラー画像が掲載されているときは、このカラー画像に対応しかつ他の紙面に掲載されている上記モノクロ化画像もこのカラー画像と共に取り置くための取置紙面データに構成する紙面取置処理ステップおよび上記取置対象紙面に、上記モノクロ化画像が掲載されているときは、このモノクロ化画像に対応しかつ他の紙面に掲載されているカラー画像もこのモノクロ化画像と共に取り置くための取置紙面データに構成する紙面取置処理ステップとのいずれか一方あるいは両方と、
この紙面取置処理ステップにより構成された取置紙面データを保存するステップと、
を備えていることを特徴とする新聞制作方法。
【請求項７】
記事テキストデータの入力および校正作業を行なう記事入力／校正ステップと、
この入力および校正作業が行なわれた記事テキストデータを蓄積するステップと、
カラー画像を含む画像データを入力する一方、その入力したカラー画像をモノクロ化画像に調整する画像入力／加工ステップと、
この画像入力／加工された上記カラー画像とモノクロ化画像を含む画像データを蓄積するステップと、
上記記事テキストデータおよび画像データの各蓄積ステップでそれぞれ蓄積されている記事テキストデータおよび画像データのレイアウト処理を行なうレイアウト処理ステップと、
このレイアウト処理により作成された紙面を構成する紙面データを蓄積する組版・編集ステップと、
を備えた新聞制作方法において、
上記組版・編集ステップにて紙面データ削除要求を受けた場合に、その削除対象が上記モノクロ化画像を掲載している紙面であるときに、このモノクロ化画像に対応するカラー画像が他の紙面に掲載されていない場合に限ってこのモノクロ化画像を削除する画像削除処理ステップを、
設けたことを特徴とする新聞制作方法。
【発明の詳細な説明】
【０００１】
【発明の属する技術分野】
本発明は新聞を制作する新聞制作システムおよびその方法に係り、特に、新聞に掲載されるカラー画像をそのモノクロ化画像と一体に取置（保存）または削除する新聞制作システムおよびその方法に関する。
【０００２】
【従来の技術】
図１５は従来の新聞制作システム１の構成の一例を示すブロック図である。この図に示すように、新聞制作システム１は記事入力／校正端末２，画像入力／加工端末３および組版端末４の各種端末と、記事サーバ５，画像サーバ６，組版・編集サーバ７および出力サーバ８の各種サーバと、紙面データファイル９と、プリンタ／プロッタ１０とを具備している。
【０００３】
上記記事入力／校正端末２は、そのオペレータの入力操作または校正操作により新聞記事のテキストデータの入力や、その入力した記事に対する校正を行なうためのものである。
【０００４】
画像入力／加工端末３は、新聞紙面に掲載する写真等の画像の入力や、その入力した画像を加工するものである。画像としてはカラー画像とそのモノクロ化画像と単なるモノクロ画像等があり、カラー画像としてはカラーの地紋見出し、カラー写真、カラーのイラストレーションやカット類等がある。
【０００５】
モノクロ化画像としては、画像入力／加工端末３により入力したカラー画像から自動的に作成された自動作成画像と、この自動作成画像ではコントラスト等の画質が劣る等の問題があるために、オペレータの調整操作により元になるカラー画像のコントラスト等画質を目視しながら調整し、作成するモノクロ化画像がある。このモノクロ化画像は、その元になるカラー画像とは後述する対応情報により対応関係が明らかにされる。
【０００６】
一方、組版端末４は、そのオペレータの操作により新聞紙面に掲載する記事や画像等について紙面上のレイアウトを設定するレイアウト処理を行なうものである。また、この組版端末４も記事入力／校正端末２と同様の校正機能を有している。
【０００７】
記事サーバ５は、記事入力／校正端末２からの記事テキストデータや、図示しないネットワークを介して外部から送信されてくる記事テキストデータを蓄積するものである。
【０００８】
記事サーバ５に蓄積されたデータは、オペレータの指示により組版・編集サーバ７に送信することが可能であるが、この記事サーバ５は自動送信機能を備えており、この自動送信機能によっても蓄積した画像データを組版・編集サーバ７に送信することが可能である。
【０００９】
同様に、画像サーバ６は、画像入力／加工端末器３からの画像データや、ネットワークを介して外部から送られてくる画像データを蓄積し、この蓄積データをオペレータの指示または自動送信機能に基づいて組版・編集サーバ７に送信することが可能になっている。
【００１０】
組版・編集サーバ７は、記事サーバ５および画像サーバ６からのデータを蓄積し、組版端末４を介したオペレータからの要求に応答してこの蓄積組版データを組版端末４に送信するようになっている。組版端末４では、組版・編集サーバ７から送られてくるデータを用いてレイアウト処理が行なわれるが、このレイアウト処理により構成された紙面データは組版・編集サーバ７の紙面データファイル９に紙面毎に蓄積されるようになっている。
【００１１】
この紙面データファイル９に蓄積された紙面データは、組版端末４から組版・編集サーバ７に送信された大刷・版下指示により出力サーバ８へ送られ、蓄積されるようになっている。出力サーバ８は、組版・編集サーバ７からの組版データを編集してこれらをドットデータに展開する。プリンタ／プロッタ１０は、この展開されたドットデータを用いて大刷や版下を出力する。なお、その版下出力時は、組版端末４からの指定に基づき、例えば、Ｃ（シアン）版、Ｍ（マジエンタ）版、Ｙ（イエロー）版、Ｋ（ブラック）版等の色版の出力や、モノクロ版のみの出力、あるいはＣ版、Ｍ版、Ｙ版、Ｋ版およびモノクロ版の同時出力を行なえるようになっている。
【００１２】
【発明が解決しようとする課題】
ところで、現実の新聞紙面の作成においては、カラー版（紙面）を掲載する新聞のページ（紙面）位置は決まっているものの、当日の紙面構成によりカラー紙面がモノクロ紙面に変更されたり、その逆のケースが発生する場合がある。
【００１３】
このカラー紙面とモノクロ紙面との間で変更されるのは、主にカラー写真や、カラーの地紋見出し、カラーのイラストレーションやカット類等のカラー画像である。このカラー画像がモノクロ画像に変更されるモノクロ化画像としては、カラー画像と同一画像のモノクロ化画像があり、このモノクロ化画像としては上述したように自動作成画像と、手動調製されたモノクロ化画像とがある。以下、ここでモノクロ化画像とは、特に言及しない限り、後者の手動調整されたモノクロ化画像を示すものとする。
【００１４】
しかしながら、このカラー画像とモノクロ化画像とは本システムの運用上の事情によりほぼ同時に搬入されず、別々のタイミングで搬入される場合が多い。このために、これら両画像の識別ＩＤも別々に発番される場合がある。
【００１５】
その結果、紙面データファイル９に蓄積される紙面データ上は、例えば所要の紙面をカラー版で降版する場合には、カラー画像のみ登録（保存）し、そのモノクロ化画像を紙面データとして登録することは通常しない。
【００１６】
したがって、このような紙面の紙面データを取り置く（保存する）場合、カラー画像のモノクロ化画像が取り込まれないことになる。
【００１７】
一方、これとは逆に、所要の紙面をモノクロ版で降版する場合には、カラー画像のモノクロ化画像は保存してあるが、カラー画像は取り込まれないことになる。
【００１８】
したがって、紙面データファイル９に取り置いた（保存した）紙面データを本システム上に復元する場合には、カラー紙面（版）をモノクロ紙面（版）として降版できないという不具合や、本来カラー紙面で構成しなければならないものがモノクロ紙面としてしか使用できないという不都合が発生する。
【００１９】
ところで、画像データは記事データと比べてメモリ使用量が大きいので、降版が終了した後に、紙面データを紙面データファイル９から紙面単位で削除する場合には、画像データから削除するという運用上の約束がある。
【００２０】
こうした状況下で、画像管理上重要なことは、カラー画像とそのモノクロ化画像とを一体として管理する必要がある。例えば第１の紙面＃１に画像ｃのカラー画像が掲載され、第２の紙面＃２に、その画像ｃのモノクロ化画像である画像ｐが掲載されている場合に、第２の紙面＃２の紙面データ全体を削除するために同時にモノクロ化画像ｐも削除してしまうと、仮に、第１の紙面＃１がカラー版（紙面）からモノクロ版（紙面）に変更になった時に、モノクロ化画像ｐが既に削除されていて存在しないので、モノクロ化画像ｐを出力できないという課題が発生する。
【００２１】
本発明はこのような事情を考慮してなされたもので、その目的は、カラー画像とそのモノクロ化画像とを保存やその削除等において一体に管理することによりカラー版とモノクロ版との間の変更が可能な新聞制作システムおよびその方法を提供することにある。
【００２２】
【課題を解決するための手段】
上記課題を解決するために本願請求項１に係る発明は、記事テキストデータの入力および校正作業を行なう記事入力／校正端末からの記事テキストデータを蓄積する記事サーバと、カラー画像を含む画像データを入力する一方、その入力したカラー画像をモノクロ化画像に調整する画像入力／加工端末と、この画像入力／加工端末からの上記カラー画像とモノクロ化画像を含む画像データを蓄積する画像サーバと、上記記事サーバおよび上記画像サーバにそれぞれ蓄積されている記事テキストデータおよび画像データのレイアウト処理を行なう組版端末と、この組版端末のレイアウト処理により作成された紙面を構成する紙面データを紙面データファイルに蓄積する組版・編集サーバと、を備えた新聞制作システムにおいて、上記組版・編集サーバに、上記組版端末からの紙面取置要求を受けてその紙面を取り置く場合に、その取置対象紙面にカラー画像が掲載されているときは、このカラー画像に対応しかつ他の紙面に掲載されている上記モノクロ化画像もこのカラー画像と共に取り置くための取置紙面データに構成する紙面取置処理手段および上記取置対象紙面に、上記モノクロ化画像が掲載されているときは、このモノクロ化画像に対応しかつ他の紙面に掲載されているカラー画像もこのモノクロ化画像と共に取り置くための取置紙面データに構成する紙面取置処理手段のいずれか一方あるいは両方を、設けていることを特徴とする新聞制作システムである。
【００２３】
請求項２に係る発明は、上記組版・編集サーバは、上記紙面取置処理手段により構成された取置紙面データを保存する取置紙面データファイルを、備えていることを特徴とする新聞制作システムである。
【００２４】
請求項３に係る発明は、上記画像データを蓄積する画像データファイルを、上記画像サーバおよび組版・編集サーバの少なくとも一方に設けていることを特徴とする請求項１記載の新聞制作システムである。
【００２５】
請求項４に係る発明は、記事テキストデータの入力および校正作業を行なう記事入力／校正端末からの記事テキストデータを蓄積する記事サーバと、カラー画像を含む画像データを入力する一方、その入力したカラー画像をモノクロ化画像に調整する画像入力／加工端末と、この画像入力／加工端末からの上記カラー画像とモノクロ化画像を含む画像データを蓄積する画像サーバと、上記記事サーバおよび上記画像サーバにそれぞれ蓄積されている記事テキストデータおよび画像データのレイアウト処理を行なう組版端末と、この組版端末のレイアウト処理により作成された紙面を構成する紙面データを紙面データファイルに蓄積する組版・編集サーバと、を備えた新聞制作システムにおいて、上記組版・編集サーバに、上記組版端末からの紙面データ削除要求を受けた場合に、その削除対象が上記モノクロ化画像を掲載している紙面であるときに、このモノクロ化画像に対応するカラー画像が他の紙面に掲載されていない場合に限ってこのモノクロ化画像を削除する画像削除処理手段を、設けたことを特徴とする新聞制作システムである。
【００２６】
請求項５に係る発明は、上記画像データを蓄積する画像データファイルを、上記画像サーバおよび組版・編集サーバの少なくとも一方に設けていることを特徴とする請求項４記載の新聞制作システムである。
【００２７】
請求項６に係る発明は、記事テキストデータの入力および校正作業を行なう記事入力／校正ステップと、この入力および校正作業が行なわれた記事テキストデータを蓄積するステップと、カラー画像を含む画像データを入力する一方、その入力したカラー画像をモノクロ化画像に調整する画像入力／加工ステップと、この画像入力／加工された上記カラー画像とモノクロ化画像を含む画像データを蓄積するステップと、上記記事テキストデータおよび画像データの各蓄積ステップでそれぞれ蓄積されている記事テキストデータおよび画像データのレイアウト処理を行なうレイアウト処理ステップと、このレイアウト処理により作成された紙面を構成する紙面データを蓄積する組版・編集ステップと、を備えた新聞制作方法において、上記組版・編集ステップにて紙面取置要求を受けてその紙面を取り置く場合に、その取置対象紙面にカラー画像が掲載されているときは、このカラー画像に対応しかつ他の紙面に掲載されている上記モノクロ化画像もこのカラー画像と共に取り置くための取置紙面データに構成する紙面取置処理ステップおよび上記取置対象紙面に、上記モノクロ化画像が掲載されているときは、このモノクロ化画像に対応しかつ他の紙面に掲載されているカラー画像もこのモノクロ化画像と共に取り置くための取置紙面データに構成する紙面取置処理ステップとのいずれか一方あるいは両方と、この紙面取置処理ステップにより構成された取置紙面データを保存するステップと、を備えていることを特徴とする新聞制作方法である。
【００２８】
請求項７に係る発明は、記事テキストデータの入力および校正作業を行なう記事入力／校正ステップと、この入力および校正作業が行なわれた記事テキストデータを蓄積するステップと、カラー画像を含む画像データを入力する一方、その入力したカラー画像をモノクロ化画像に調整する画像入力／加工ステップと、この画像入力／加工された上記カラー画像とモノクロ化画像を含む画像データを蓄積するステップと、上記記事テキストデータおよび画像データの各蓄積ステップでそれぞれ蓄積されている記事テキストデータおよび画像データのレイアウト処理を行なうレイアウト処理ステップと、このレイアウト処理により作成された紙面を構成する紙面データを蓄積する組版・編集ステップと、を備えた新聞制作方法において、上記組版・編集ステップにて紙面データ削除要求を受けた場合に、その削除対象が上記モノクロ化画像を掲載している紙面であるときに、このモノクロ化画像に対応するカラー画像が他の紙面に掲載されていない場合に限ってこのモノクロ化画像を削除する画像削除処理ステップを、設けたことを特徴とする新聞制作方法である。
【００２９】
【発明の実施の形態】
以下、本発明の実施形態を図１〜図１４に基づいて説明する。これらの図中、同一または相当部分には同一符号を付している。
【００３０】
図１は本発明の第１実施形態に係る新聞制作システム１１の要部の構成を示すブロック図である。この図１に示すように新聞制作システム１１は、組版・編集サーバ７０に、紙面取置処理手段７１と取置紙面データファイル７２とを設け、これ以外の構成は上記図１５で示す従来の新聞制作システム１１とほぼ同様に構成され、各端末と各サーバ等を備えている。
【００３１】
すなわち、本実施形態に係る新聞制作システム１１は、図１で示す組版端末４、上記組版・編集サーバ７０、画像サーバ６および紙面データファイル９を備えると共に、図１５で示す記事入力／校正端末２、画像入力／加工端末３、記事サーバ５、画像サーバ６、出力サーバ８およびプリンタ／プロッタ１０を具備している。
【００３２】
組版・編集サーバ７０は上述した従来の組版・編集サーバ７と同様に記事サーバ５および画像サーバ６からの各データを蓄積し、組版端末４を介したオペレータからのデータを蓄積し、組版端末４を介したオペレータからの要求に応答してこの蓄積データを組版端末に送信する機能と、組版端末４のレイアウト処理により構成された複数の紙面を形成する紙面データを紙面毎（第１の紙面＃１，第２の紙面＃２…第ｎ紙面＃ｎ）に紙面データファイル９に蓄積する機能と、掲載される紙面がそれぞれ異なるカラー画像とそのモノクロ化画像とを一体に取り置く（保存する）機能と、を有する。
【００３３】
図２はこの紙面データファイル９に蓄積されている例えば第１の紙面＃１の紙面データ９１の構成例を示す説明図である。この図２中、符号９１ＫＮ，９１ＭＮ，９１ＨＮ……９１０５ＫＭ等は以下の説明の便宜上付したものである。
【００３４】
すなわち、第１の紙面＃１の紙面データファイル９１は、第１の紙面＃１の掲載年月日９１ＫＮ，紙面名９１ＭＮ，組方向や段数等の体裁情報９１ＴＳ等の管理情報と、所要の複数の記事ａ，ｂや画像ｃ，ｄの第１，２，３，４の素材情報９１０１，９１０２，９１０３，９１０４とを備えている。ここで素材とは、記事，写真や図形，見出し，地紋見出し等の画像等、新聞紙面を構成するための要素をいう。
【００３５】
記事ａ，ｂの素材情報としては、その素材を特定するための識別情報である素材ＩＤ９１０１ＩＤ，９１０２ＩＤや、配置情報９１０１ＬＴ，９１０２ＬＴのほかに、記事自体の記事テキスト９１０１ＴＸ，９１０２ＴＸやレイアウト済のテキスト９１０１ＬＸ，９１０２ＬＸ等も蓄積している。
【００３６】
これに対し、画像ｃ，ｄについては、その素材ＩＤ９１０３ＩＤ，９１０５ＩＤや、配置情報９１０３ＬＴ，９１０５ＬＴ等画像管理情報を蓄積しているものの、画像データ自体は画像サーバ６の画像データファイル６１に蓄積している。これは、一般に画像は複数の紙面で共通に使用される場合があるので、紙面毎に画像を保存すると、メモリ使用量が増大するという不具合を防止するためである。
【００３７】
図３はこの画像データファイル６１に蓄積されている画像データの構成例を示す説明図である。この図３中、符号６１０１ＩＤ，６１０１ＫＢ，６１０１ＬＫ……６１ＲＩ等は以下の説明の便宜上付したものである。
【００３８】
すなわち、画像データファイル６１は複数の紙面＃１〜＃ｎにそれぞれ掲載されるカラー画像、そのモノクロ化画像および単なるモノクロ画像等の各画像自体のデータを、紙面データファイル９に蓄積されている画像ｃ，ｄを特定するための識別情報である画像の素材ＩＤ（例えばＧ００１，Ｇ００２，Ｇ００３，Ｇ００４）と同一の画像の素材ＩＤを付して、紙面データとの対応関係を明らかにした状態で蓄積している。
【００３９】
図３に示すように画像データファイル６１は、その第１のレコード６１０１〜第４のレコード６１０４の４つのレコードに、例えば４つの画像ｃ，ｄ，ｅ，ｆをそれぞれ蓄積している。各レコード６１０１〜６１０４には、ここでそれぞれ蓄積している画像ｃ〜ｆの素材ＩＤ（Ｇ００１〜Ｇ００４）と、色区分（カラーまたはモノクロ）６１０１ＫＢや６１０２ＫＢ等、カラーとモノクロの相手画像の素材ＩＤである６１０１ＬＫや６１０２ＬＫ等、各画像ｃ〜ｆに関する属性情報６１０１ＦＭや６１０２ＦＭ等、応答の高速性を得るために表示データを間引きした表示画質の粗い表示画の格納先を示す格納情報６１０１ＡＤや６１０２ＡＤ等、紙面に掲載される表示画質の高い実画像データの格納情報６１０１ＢＤや６１０２ＢＤ等、画像データ自体の表示画データ６１ＨＩや実画像データ６１ＲＩ等、をそれぞれ蓄積している。
【００４０】
上記カラー／モノクロの相手画像とは、カラー画像と、このカラー画像を手動操作によりモノクロ画像に変換してなるモノクロ化画像と、のように対応関係にある画像の一方を指し、例えば図３では第１のレコード６１０１に蓄積されるカラー画像ｃと、第３のレコード６１０３のモノクロ画像ｅとが対応関係にあり、このモノクロ画像ｅがカラー画像ｃのモノクロ化画像であることを明らかにしている。
【００４１】
また、第２のレコード６１０２に蓄積されるモノクロ画像ｄの管理情報と、第４のレコード６１０４に蓄積されるモノクロ画像ｆの管理情報とは、これらの各対応情報を記録する記録部の６１０２ＬＫと６１０４ＬＫにおいて、カラー／モノクロの相手画像の素材ＩＤ（＝無し）と記録され、対応関係にあるカラー画像、つまり相手画像が無いことが記録されている。
【００４２】
したがって、以下の説明では、素材ＩＤがＧ００１であるカラー画像ｃと、素材ＩＤがＧ００３であるモノクロ画像ｅとは、カラー画像とそのモノクロ化画像との対応関係にあるものとする。
【００４３】
図１で示す紙面取置処理手段７１は、このようにカラー画像とそのモノクロ化画像との対応関係にあるが、その掲載される紙面が異なるカラー画像とモノクロ化画像とを一体に取り置く（保存する）取置処理により取置紙面データを構成し、その取置紙面データを取置紙面データファイル７２に保存（取置）するものである。
【００４４】
図４および図５は、この紙面取置処理手段７１により取置紙面データに構成され、取置紙面データファイル７２に保存されている例えば第１の紙面＃１の取置紙面データの構成例を示している。
【００４５】
図４および図５に示すように、この取置紙面データは図１で示す第１の紙面＃１の全部の紙面データと、この第１の紙面＃１に掲載されているカラー画像ｃとモノクロ画像ｄの管理情報と、そのカラー画像ｃに、そのモノクロ化画像として対応するモノクロ画像ｅの管理情報とにより構成されている。
【００４６】
すなわち、第１の紙面＃１の取置紙面データには、この第１の紙面＃１に掲載されるカラー画像ｃのＩＤ情報等の素材情報と共に、このカラー画像ｃのモノクロ化画像でありかつ第１の紙面＃１以外の紙面に掲載されているモノクロ画像ｅのＩＤ情報等の素材情報が保存されている。但し、これら画像ｃ〜ｅ自体の画像データはＩＤ情報等の各画像ｃ〜ｅの素材情報に関連付けて画像データファイル６１に格納されていることは上述した通りである。
【００４７】
図６および図７は紙面取置処理手段７１により例えば第１の紙面＃１を取り置いて図４および図５で示す取置紙面データを形成する場合の取置処理プログラムの一例を示すフローチャートであり、図中Ｓ１〜Ｓ１７はフローチャートの各ステップを示す。
【００４８】
すなわち、紙面取置処理手段７１は、組版端末４からの所要の紙面データの取置要求（指示）を受けると、その取置処理プログラムを起動（スタート）させ、まずＳ１で、組版端末４のオペレータの操作により要求（指定）された紙面データ（例えば第１の紙面＃１）を紙面データファイル９から読み込む。
【００４９】
次のＳ２で、取置（保存）先である取置紙面データファイル７２を初期化し、この後、Ｓ３で指定（要求）された図２で示す第１の紙面データ９１の管理情報を紙面データファイル９から取置紙面データファイル７２に転記する。
【００５０】
さらに、Ｓ４で、第１の紙面＃１の紙面データ９１の素材情報の先頭レコードを取置対象にし、次のＳ５で、この取置対象素材が記事であるか否か判断し、Ｎｏ，つまり取置対象素材が画像であるときはコネクタＡに従ってＳ１０へジャンプする一方、Ｙｅｓ，つまり取置対象素材が記事であるときはＳ６へ進む。
【００５１】
Ｓ６では、取置対象素材に関する情報を紙面データファイル９から取置紙面データファイル７２に転記する。
【００５２】
次のＳ７では第１の紙面データ９１の全ての素材情報に対して取置処理したか否か判断し、Ｙｅｓ，つまり全ての素材情報に対して取置処理をした場合には、Ｓ８で取置処理を終了（ＥＮＤ）させる。しかし、このＳ７で、Ｎｏの場合は取置処理をした次のレコードを取置対象にする。この後、コネクタＢに従って再び上記Ｓ５へ戻り、Ｓ５以下のステップを繰り返すループ処理を実行することにより、第１の紙面データ９１の全ての素材情報の取置処理をしたときにＳ８で終了する。
【００５３】
そして、上記Ｓ５でＮｏ，つまり取置対象素材が記事ではないと判断したとき、つまり画像であると判断したときには、Ｓ５からコネクタＡに従って図７で示すＳ１０へジャンプし、ここで取置対象素材に関する情報、例えば画像の素材種別、素材ＩＤ、配置情報、仮見出しを紙面データファイル９から取置紙面データファイル７２に転記する。
【００５４】
次のＳ１１では、取置対象画像に対する画像データファイル６１のレコードを探す。また次のＳ１２では、この探したレコードから、まず取置対象画像の色区分、カラー画像またはモノクロ画像（モノクロ化画像）にそれぞれ対応する相手画像の素材ＩＤ、画像に関する属性情報を取置紙面データファイル７２に転記する。
【００５５】
この後Ｓ１３で、画像データファイル６１内の表示画データ、実画像データを取置紙面データファイル７２に転記し、その転記先を示す格納情報を設定する。
【００５６】
そして、次のＳ１４では、取置対象画像にカラー画像またはモノクロ画像（モノクロ化画像を含む）の相手画像が存在するか否かを判断し、Ｎｏ，すなわち相手画像が存在しないときはコネクタＣに従って上記Ｓ７へ戻り、Ｓ７以下のステップを繰り返す。一方、Ｓ１４でＹｅｓ，すなわち相手画像が存在するときはＳ１５へ進む。
【００５７】
Ｓ１５では、取置対象画像のカラー画像またはモノクロ画像（モノクロ化画像を含む）の相手画像（対応画像）についての画像データファイル７２のレコードを探す。
【００５８】
次のＳ１６では、探したレコードの素材ＩＤ，色区分，カラー画像またはモノクロ画像の相手画像の素材ＩＤ，画像に関する属性情報を取置紙面データファイル７２に転記する。
【００５９】
この後Ｓ１７で、画像データファイル内の取置対象の表示画データと実画像データを取置紙面データファイル７２に転記し、その格納先の格納情報を設定する。
【００６０】
この後、再びコネクタＣに従ってＳ７へ戻り、ここで紙面データファイル９の取置対象の全ての素材情報９１０１〜９１０４について取置紙面データファイル７２へ全て転記（取置）したときに、Ｓ８で終了する。しかし、このＳ７で、全ての素材情報９１０１〜９１０４についての転記が終了していない（Ｎｏ）ときは、上記Ｓ１０以下の処理を繰り返し、紙面データファイル７２の全ての素材情報９１０１〜９１０４を取置紙面データファイル７２へ全て転記したときにＳ８で終了する。
【００６１】
こうして第１の紙面データ＃１が取置紙面データファイル７２に転記、つまり保存された状態では、この第１の紙面データ＃１には、その第１の紙面に掲載されるカラー画像と共に、このカラー画像のモノクロ化画像であり、相手画像であるモノクロ画像も取置紙面データファイル７２に保存（取置）される。
【００６２】
また、第１の紙面＃１に掲載される画像がモノクロ化画像であるときは、その元になるカラー画像ｃもこのモノクロ化画像と共に取置紙面データファイル７２に保存される。
【００６３】
したがって、仮に第１の紙面＃１がカラー版（紙面）からモノクロ版（紙面）に変更する場合には、そのカラー画像のモノクロ化画像を取置紙面データファイル７２から読み出して降版することができる。
【００６４】
これとは逆に、所要の紙面をモノクロ版からカラー版に変更する場合にも、そのモノクロ画像の元になるカラー画像を取置紙面データファイル７２から読み出して降版することができる。
【００６５】
なお、上記実施形態では紙面取置処理手段７１を、取置対象紙面にカラー画像が掲載されている場合と、そのモノクロ化画像が掲載されている場合の両場合に、これらカラー画像とそのモノクロ化画像とを一体的に取り置く場合について説明したが、本発明はその一方の場合にカラー画像とモノクロ化画像とを一体的に取り置くように構成してもよい。上記新聞制作システム１１では画像データファイル６１を画像サーバ６のみに設けた場合について説明したが、この画像データファイル６１は画像サーバ６と組版・編集サーバ７０の両者に設けてもよい。この後者によれば、画像サーバ６に蓄積される画像については、画像入力／加工端末３に入力された画像データのみに限定する一方、組版・編集サーバ７０に蓄積される画像については新聞紙面に掲載される画像データのみに限定する等、画像についての管理区分の相違や、ＲＧＢ形式と二値ＣＭＹＫ分色形式等の画像の実体についての表現形式相違に対応することができる。
【００６６】
図８は本発明の第２実施形態に係る新聞制作システム２１の要部の構成を示すブロック図である。この新聞制作システム２１は図１５で示す従来の新聞制作システム１の組版・編集サーバ７に画像削除処理手段７３を設けて組版・編集サーバ７０Ａに構成した点に特徴があり、これ以外の構成については図１５で示す従来の新聞制作システム１とほぼ同様に構成されており、各端末と各サーバ等を備えている。
【００６７】
上記画像削除処理手段７３は、上記組版端末４からの紙面データ削除要求（指示）を受けた場合に、その削除対象が上記モノクロ化画像を掲載している紙面であるときに、このモノクロ化画像に対応するカラー画像が紙面データファイル９に保存されている他の紙面に掲載されていない場合に限ってこのモノクロ化画像を削除する機能を備えている。
【００６８】
画像削除処理手段７３は、モノクロ化画像やカラー画像が他の紙面に掲載されているか否かを判断する場合は、紙面データファイル９に蓄積されている複数の紙面データ＃１〜＃ｎから読み出すことにより実行している。
【００６９】
図９はこの紙面データファイル９に蓄積されている第２の紙面＃２の紙面データ９２の一構成例であり、第１の紙面＃１の紙面データ９１の一構成例は図２で図示し、説明済であるので、省略する。この図２においても符号９２ＫＮ，９２ＭＮ……９２０５ＫＭは単に説明の便宜上付した符号である。
【００７０】
第２の紙面＃２の紙面データ９２の構成は図２で示す第１の紙面＃１の紙面データの構成とほぼ同様に、紙面（版）の掲載年月日や面名、版名等の管理情報、記事ｍの第１の素材情報９２０１、記事ｎの第２の素材情報９２０２、図２で示す第１の紙面データ９２のカラー画像ｃのモノクロ化画像である画像ｐの第３の素材情報９２０３、単なるモノクロ画像ｑの第４の素材情報９２０４を記録（登録）している。
【００７１】
これら画像ｐ，ｑを含む複数の画像のデータは画像データファイル６２に蓄積されている。この画像データファイル６２は図１で示す画像データファイル６１と同様の機能を備えているが、その蓄積している画像データについて、例えば図３で示すモノクロ画像ｅ，ｆを図１０で示すモノクロ画像ｐ，ｑに置換した点で単に相違しているに過ぎず、他は同様である。このために、この画像データファイル６２に蓄積されている画像データの構成例の説明は省略する。
【００７２】
図１１〜図１４は上記画像削除処理手段７３の画像データ削除処理プログラムのフローチャートであり、図中Ｓ１０１〜Ｓ１１３はフローチャートの各ステップを示す。
【００７３】
図１１で示すように、まず、画像削除処理手段７３は、組版端末４から所要の紙面データ削除指示（要求）を受けると、この画像削除処理プログラムを起動（スタート）させてから、まず、Ｓ１０１で、削除指示された画像の素材ＩＤと、画像データファイル６２の対象レコードの素材ＩＤと一致するレコードを探索する。
【００７４】
次のＳ１０２では、探索したレコードから削除指示された画像がモノクロ画像であるか否か判断し、ＮｏのときはコネクタＤに従って図１３で示すＳ１１０へジャンプする。一方、Ｓ１０２でＹｅｓのときは、Ｓ１０３へ進む。Ｓ１０３では削除指示された画像の素材ＩＤが紙面データファイル９内の紙面データに登録（記録）されているかを調査し、Ｓ１０４で、その調査の結果、登録されているか否かを判断する。
【００７５】
このＳ１０４でＹｅｓのときは、図１４のＳ１１３へジャンプする一方、Ｎｏ，つまり削除指示された画像の素材ＩＤが紙面データファイル９内の紙面データに登録されていない、すなわち紙面に使用されていないと判断したときは、Ｓ１０５で削除指示された画像のカラー画像またはモノクロ画像に対応する相手画像の素材ＩＤが紙面データファイル９内の紙面データに登録されているかを調査し、次のＳ１０６で、その相手画像が登録されているか否か判断する。
【００７６】
このＳ１０６でＹｅｓのときは、図１４のＳ１１３へジャンプする一方、Ｎｏ，すなわち、相手画像が紙面に使用されていないと判断したときは、コネクタＦに従って図１２のＳ１０７へ進む。Ｓ１０７では、まず削除指示された画像のレコード，表示画データ，実画像データを画像データファイル６２から削除する。
【００７７】
さらに、次のＳ１０８で、カラー画像またはモノクロ画像の相手画像のレコードを画像データファイル６２のレコードから探索する。
【００７８】
この後、Ｓ１０９で、削除指示された画像に対するカラー画像またはモノクロ画像の相手画像のレコード，表示画データ，実画像データを画像データファイル６２から削除して終了（ＥＮＤ）する。
【００７９】
一方、上記Ｓ１０２で、削除指示された画像がモノクロ画像ではないとき、つまりカラー画像であるときは、コネクタＤに従ってＳ１１０へジャンプし、ここで削除指示されたカラー画像の素材ＩＤが紙面データファイル９内に紙面データとして登録されているかを調査し、次のＳ１１１で、この削除指示対象のカラー画像が登録されているか否か判断し、Ｎｏ，つまり、削除指示されたカラー画像が紙面に使用されていないときは、Ｓ１１２で、この削除指示されたカラー画像のレコード，表示画データ，実画像データを画像データファイル６２から削除して終了（ＥＮＤ）する。
【００８０】
一方、上記Ｓ１０４でＹｅｓのとき、すなわち、削除指示されたモノクロ画像の素材ＩＤが紙面データファイル６２内に紙面データファイル９として登録されているとき、つまり、この削除指示されたモノクロ画像が紙面に使用されているときと、Ｓ１０６でＹｅｓのとき、つまり、削除指示された画像のカラー画像またはモノクロ画像の相手画像の素材ＩＤが紙面データファイル９内の紙面データに登録されているときは、コネクタＥにより図１４で示すＳ１１３へ分岐する。
【００８１】
また、図１３で示すＳ１１１でＹｅｓのとき、つまり削除指示された画像の素材ＩＤが紙面データファイル９に登録されているときもＳ１１３へ分岐する。
【００８２】
Ｓ１１３では、削除指示されたモノクロ画像を削除できない旨のメッセージを組版端末４のディスプレイ等に表示してオペレータに知らせる。
【００８３】
したがって、この新聞制作システム２１によれば、削除指示されたモノクロ画像がカラー画像のモノクロ化画像であり、しかもこのモノクロ化画像の元のカラー画像がカラー紙面に使用（登録）されているときには、このモノクロ画像の削除を禁止することができる。
【００８４】
このためにカラー版（紙面）を何らかの理由によりモノクロ版に変更する場合には、このカラー版に掲載されるカラー画像が削除されずに保存されている場合には、このカラー画像のモノクロ化画像である相手画像が画像データファイル６２から削除されずに保存されているので、このモノクロ化画像を使用してモノクロ版に変更することができる。
【００８５】
また、この第２の実施形態に係る新聞制作システム２１によっても、上記第１の実施形態に係る新聞制作システム１１と同様に画像データファイル６２を画像サーバ６側に設けた場合について説明したが、組版・編集サーバ７０Ａの両者に設けてもよい。
【００８６】
【発明の効果】
以上説明したように本発明によれば、カラー版（紙面）に掲載されるカラー画像とそのモノクロ化画像とを、保存（取置）とその削除において一体的に扱い管理するので、カラー版とモノクロ版との間の変更が可能になる。
【図面の簡単な説明】
【図１】本発明の第１の実施形態に係る新聞制作システムの要部ブロック図。
【図２】図１で示す紙面データファイルに蓄積される第１の紙面の紙面データ構成の一例を示す図。
【図３】図１で示す画像データファイルに蓄積される画像データの構成例を示す図。
【図４】図１で示す取置紙面データファイルに蓄積される取置紙面データの構成例の一部を示す図。
【図５】図４で示す取置紙面データの残部の構成を示す図。
【図６】図１で示す紙面取置処理手段の処理プログラムの一部のフローチャート。
【図７】図６で示す紙面取置処理プログラムの残部のフローチャート。
【図８】本発明の第２の実施形態に係る新聞制作システムの要部ブロック図。
【図９】図８で示す第２の紙面の紙面データの構成例を示す図。
【図１０】図８で示す画像データファイルに蓄積される画像データの構成例を示す図。
【図１１】図８で示す画像削除処理手段の画像削除処理プログラムの一部のフローチャート。
【図１２】図１１で示す画像削除処理プログラムの他の一部のフローチャート。
【図１３】図１１で示す画像削除処理プログラムのさらに他の一部のフローチャート。
【図１４】図１１で示す画像削除処理プログラムの残部のフローチャート。
【図１５】従来の新聞制作システムの全体構成を示すブロック図。
【符号の説明】
１，１１，２１  新聞制作システム
２  記事入力／校正端末
３  画像入力／加工端末
４  組版端末
５  記事サーバ
６  画像サーバ
７，７０  組版・編集サーバ
８  出力サーバ
９  紙面データファイル
１０  プリンタ／プロッタ
６１，６２  画像データファイル
７１  紙面取置処理手段
７２  取置紙面データファイル
７３  画像削除処理手段
【図１】
0003980334.tif 000002
【図２】
0003980334.tif 000003
【図３】
0003980334.tif 000004
【図４】
0003980334.tif 000005
【図５】
0003980334.tif 000006
【図６】
0003980334.tif 000007
【図７】
0003980334.tif 000008
【図８】
0003980334.tif 000009
【図９】
0003980334.tif 000010
【図１０】
0003980334.tif 000011
【図１１】
0003980334.tif 000012
【図１２】
0003980334.tif 000013
【図１３】
0003980334.tif 000014
【図１４】
0003980334.tif 000015
【図１５】
0003980334.tif 000016